(57)【要約】【課題】本考案は、芯管をリサイクル製品とすることで、廃棄物処理問題を解消し、且つ、梱包作業に際して作業者が把持することで変形を生じない包装用粘着テープを提供すること。【解決手段】中空円筒形状の芯管に軸方向の切断線を形成して、切断端が分離した状態を保管形状とし、粘着テープ巻重体の内芯中空部に挿入して粘着テープ巻重体と一体化して包装用粘着テープを構成する。装着状態で、芯管の切断端を互いに対向密着させ、粘着テープ巻重体の内径に対し芯管の外径を同一/またはわずかに大とする。断面形状を間隙の存在する円形リングとする巻芯を、粘着テープ巻重体の内芯中空部に装着した状態で、前記間隙に、該間隙と同一/または僅かに大なる幅の間挿体を挿入する。【選択図】図７
0003113626.tif 000002
【実用新案登録請求の範囲】
【請求項１】
中空円筒形状の芯管に軸方向の切断線を形成して、切断端が分離した状態を保管形状とし、粘着テープ巻重体の内芯中空部に挿入して粘着テープ巻重体と一体化して包装用粘着テープを構成する使用状態においては、両切断端を互いに対向密着させ断面形状を円形リングとすることを特徴とする、再利用可能な包装用粘着テープ巻芯。
【請求項２】
中空円筒形状の芯管に軸方向の切断線を形成して、切断端が分離した状態を保管形状とし、粘着テープ巻重体の内芯中空部に挿入して粘着テープ巻重体と一体化して包装用粘着テープを構成する使用状態においては、両切断端を互いに対向密着させ断面形状を円形リングとする巻芯を、粘着テープ巻重体の内芯中空部に装着して、粘着テープ巻重体と芯管とを一体化して構成し、
前記装着状態で、芯管の切断端を互いに対向密着させ、粘着テープ巻重体の内径に対し芯管の外径を同一/またはわずかに大として、芯管と粘着テープ巻重体との間に放射方向の応力を全周面に作用させることを特徴と包装用粘着テープ。
【請求項３】
中空円筒形状の芯管に軸方向の切断線を形成して、切断端が分離した状態を保管形状とし、粘着テープ巻重体の内芯中空部に挿入して粘着テープ巻重体と一体化して包装用粘着テープを構成する使用状態においては、両切断端を間隙を存在させて互いに対向させ断面形状を間隙の存在する円形リングとする巻芯を、粘着テープ巻重体の内芯中空部に装着して、粘着テープ巻重体と芯管とを一体化して構成し、
前記装着状態で、前記間隙に、該間隙と同一/または僅かに大なる幅の間挿体を挿入して、粘着テープ巻重体の内径に対し芯管の外径を同一/またはわずかに大として、芯管と粘着テープ巻重体との間に放射方向の応力を全周面に作用させることを特徴と包装用粘着テープ。
【請求項４】
芯管を、硬質プラスチック製とすることを特徴とする請求項２に記載する包装用粘着テープ。
【請求項５】
芯管および間挿体を、硬質プラスチック製とすることを特徴とする請求項３に記載する包装用粘着テープ。
【請求項６】
芯管を、硬質プラスチック製とし、間挿体を金属製することを特徴とする請求項３に記載する包装用粘着テープ。
【考案の詳細な説明】
【技術分野】
【０００１】
本願考案は、商品発送のための梱包作業に使用する包装用粘着テープに関するものである。より詳しくは、再利用可能な包装用粘着テープ巻芯に関するものである。
【背景技術】
【０００２】
梱包作業に使用する包装用粘着テープは、片面/または両面に接着剤を塗布した帯状シート(一般的には紙製、布製、プラスチック製)を巻回してなる粘着テープ巻重体と、該粘着テープ巻重体の内方に位置する中空筒状の巻芯とで構成されている。
巻芯に帯状シートを巻回して粘着テープ巻重体を形成して両者を一体化した製品として構成されている。
【０００３】
特開平５-１５６２１８号(特許文献１)の巻芯は、この種の包装用粘着テープの巻芯を示し、薄膜状発熱層と厚膜層とで構成し、粘着テープを巻回して粘着テープ巻重体を形成したのち、薄膜状発熱層を発熱させて厚膜層を溶融もしくは収縮させることで、粘着テープ巻重体と巻芯との間に間隙を形成して、収縮応力を緩和している。上記により形成される間隙により、収縮応力を緩和することで、粘着テープ巻重体の変形を減少させることが記載されている。
【特許文献１】特開平５-１５６２１８号
【考案の開示】
【考案が解決しようとする課題】
【０００４】
前記芯管は、テープの全量を使用後は不要となって廃棄されることとなり、廃棄物処理問題を生じることとなる。
芯管のない状態、即ち粘着テープ巻重体のみとすることで、この廃棄処理問題を生じないこととなるが、梱包作業に際して作業者が把持することで変形を生じて梱包作業を困難にする問題がある。
【０００５】
よって、本考案は、芯管をリサイクル製品とすることで、廃棄物処理問題を解消し、且つ、梱包作業に際して作業者が把持することで変形を生じない包装用粘着テープを提供することを課題とする。
【課題を解決するための手段】
【０００６】
本願第１考案は、中空円筒形状の芯管に軸方向の切断線を形成して、切断端が分離した状態を保管形状とし、粘着テープ巻重体の内芯中空部に挿入して粘着テープ巻重体と一体化して包装用粘着テープを構成する使用状態においては、両切断端を互いに対向密着させ断面形状を円形リングとすることを特徴とする、再利用可能な包装用粘着テープ巻芯を提供する。
本願第２考案は、中空円筒形状の芯管に軸方向の切断線を形成して、切断端が分離した状態を保管形状とし、粘着テープ巻重体の内芯中空部に挿入して粘着テープ巻重体と一体化して包装用粘着テープを構成する使用状態においては、両切断端を互いに対向密着させ断面形状を円形リングとする巻芯を、粘着テープ巻重体の内芯中空部に装着して、粘着テープ巻重体と芯管とを一体化して構成し、前記装着状態で、芯管の切断端を互いに対向密着させ、粘着テープ巻重体の内径に対し芯管の外径を同一/またはわずかに大として、芯管と粘着テープ巻重体との間に放射方向の応力を全周面に作用させることを特徴と包装用粘着テープを提供する。
本願第３考案は、中空円筒形状の芯管に軸方向の切断線を形成して、切断端が分離すた状態を保管形状とし、粘着テープ巻重体の内芯中空部に挿入して粘着テープ巻重体と一体化して包装用粘着テープを構成する使用状態においては、両切断端を間隙を存在させて互いに対向させ断面形状を間隙の存在する円形リングとする巻芯を、粘着テープ巻重体の内芯中空部に装着して、粘着テープ巻重体と芯管とを一体化して構成し、前記装着状態で、前記間隙に、該間隙と同一/または僅かに大なる幅の間挿体を挿入して、粘着テープ巻重体の内径に対し芯管の外径を同一/またはわずかに大として、芯管と粘着テープ巻重体との間に放射方向の応力を全周面に作用させることを特徴と包装用粘着テープを提供する。
【０００７】
(考案の作用)
本願考案の芯管は、切断端が分離して両切断端が互いに重なる状態で保管形状する。
粘着テープ巻重体の内芯中空部に挿入して粘着テープ巻重体と一体化することで、包装用粘着テープを構成するが、この使用状態においては、両切断端を互いに対向密着させ断面形状を円形リングとする。
前記装着状態で、芯管の切断端を互いに対向密着させ、芯管と粘着テープ巻重体との間に放射方向の応力を全周面に作用させる。
前記装着状態で、切断端が分離して間隙が存在する場合には、該間隙よりも大なる断面積の間挿体を挿入して、粘着テープ巻重体の内径に対し芯管の外径を同一/またはわずかに大として、芯管と粘着テープ巻重体との間に放射方向の応力を全周面に作用させる。
【考案の効果】
【０００８】
本考案の芯管は、粘着テープ巻重体と使用時に一体化して包装用粘着テープを構成するものであから、粘着テープ巻重体のみ新規に購入し芯管は再利用できる。従って、コスト低減とともに芯管の廃棄物処理問題を解消することができる。
また、粘着テープ巻重体のみの場合には、梱包作業に際して作業者が把持することで変形を生じて梱包作業を困難とする問題があるが、芯管と粘着テープ巻重体との間に放射方向の応力を全周面に作用させることで、変形を無くして従来品(芯管と粘着テープ巻重体とが一体化している製品)と同様に作業を行うことができる。
【考案を実施するための最良の形態】
【０００９】
本願第1考案の芯管は、硬質プラスチック製の輪体形状を軸線方向に切断する。切断前の輪体の直径を粘着テープ巻重体の内芯中空部の直径よりも5ｍｍの長さだけ大とした。
本願第２考案は、粘着テープ巻重体の内芯中空部に、本願第1考案の芯管を装着する。
本願第３考案は、本願第1考案の芯管において、切断前の輪体の直径を粘着テープ巻重体の内芯中空部の直径と同一とし、切断鋸刃の厚みよりも２ｍｍの長さだけ大なる幅の硬質プラスチック製の棒状体を間挿体とした。
【実施例】
【００１０】
本考案の好適な実施の形態について、添付図面を参照して説明する。
【００１１】
図１は、本願第1考案の芯管１を示し、硬質プラスチック製の筒体を輪切りして、直径７５ないし８３ｍｍ、幅１０ないし１００ｍｍ、厚さ２ないし５ｍｍの輪体形状の芯管素材1ａ(図２の(ａ))を、軸線方向に切断して(図２の(ｂ))のち自然姿勢とすることで、切断端１１、１１は、互い離れる(図２の(ｃ))ことで形成されている。
【００１２】
図３および図４は、粘着テープ巻重体２を示し、硬質プラスチック製の筒体を輪切りした輪体形状である
【００１３】
図５および図６は、本願第２考案を実施するにあたり、図１の芯管1を図３の粘着テープ巻重体２の内芯中空部２１に挿入した状態を示す。
芯管１の切断端部１２、１２は互いに上下に重なっている。
【００１４】
図５、６の状態で、芯管１の切断端部１２、１２を矢印イ、ロ方向に移動させることで、芯管１の切断端部１２、１２は互いに密着するとともに、芯管１の外周面と粘着テープ巻重体２の内周面とが密着して、芯管１と粘着テープ巻重体２とは、一体化して、図７及び図８に示すところの本願第２考案の包装用粘着テープ３を完成する。
【００１５】
図９、10は、本願第３考案を実施するにあたり、図１の芯管1を図３の粘着テープ巻重体２の内芯中空部２１に挿入した状態を示す。
芯管１の切断端部１２、１２は互い離れて間隙Ｇが存在している。
【００１６】
図１１、１２は間挿体5を示す。
【００１７】
図９、１０の状態で、間隙Ｇに、図１１，１２の間挿体4を挿入することで、本願第3考案の包装用粘着テープ4(図１３，１４)を完成する。
【００１８】
粘着テープ巻重体２は、紙製、布製、プラスチック製等のテープに接着剤を塗布した一般的な公知の包装用粘着テープより、芯管を除去している。
【００１９】
芯管1は、硬質プラスチックとすると、変形に対し弾性力を生じて円形リング状を保持できて好都合であるが、紙管とすることもできる。
【００２０】
間挿体５は、硬質プラスチック製の棒状体としたが、金属製、紙製、木製その他の材質とすることができる。
【産業上の利用可能性】
【００２１】
本願考案は、粘着テープを使用した梱包作業および梱包作業用粘着テープの製造にあたり、コスト低減、廃棄物削減等の産業上の有効価値を有するものである。
【図面の簡単な説明】
【００２２】
【図１】本願第1考案の実施例を示す芯管の斜視図である。
【図２】同じく製作工程を説明する平面図で、ａ図は素材状態、ｂ図は切断工程、ｃ図は切断後の自然姿勢状態を示す。
【図３】粘着テープ巻重体の斜視図である。
【図４】おなじく平面図である。
【図５】本願第２考案の実施すべく、本願第１考案の芯管を図３の粘着テープ巻重体に装着した状態を示す斜視図である。
【図６】おなじく平面図である。
【図７】本願第２考案の包装用粘着テープの斜視図である
【図８】おなじく平面図である。
【図９】本願第２考案の実施すべく、本願第１考案の芯管を図３の粘着テープ巻重体に装着した状態を示す斜視図である。
【図１０】おなじく平面図である。
【図１１】本願第３考案の実施のための間挿体の斜視図である
【図１２】おなじく平面図である。
【図１３】本願第３考案の包装用粘着テープの斜視図である
【図１４】おなじく平面図である。
【符号の説明】
【００２３】
１    芯管
２    粘着テープ巻重体
３    包装用粘着テープ(第２考案)
４    包装用粘着テープ(第３考案)
５    間挿体
Ｇ    間隙
【図１】
0003113626.tif 000003
【図２】
0003113626.tif 000004
【図３】
0003113626.tif 000005
【図４】
0003113626.tif 000006
【図５】
0003113626.tif 000007
【図６】
0003113626.tif 000008
【図７】
0003113626.tif 000009
【図８】
0003113626.tif 000010
【図９】
0003113626.tif 000011
【図１０】
0003113626.tif 000012
【図１１】
0003113626.tif 000013
【図１２】
0003113626.tif 000014
【図１３】
0003113626.tif 000015
【図１４】
0003113626.tif 000016